(57)【要約】【課題】    天井裏のダクト同士を連結するためのダクトジョイナー、若しくは、天井裏のダクトの端部に取り付けられるダクトジョイナーを、梁その他の横架材に対して位置ずれすることなく確実に固定することを目的とする。【解決手段】  ダクトジョイナー本体(20)に設けられた取付け部(30)(30)へ挿通されるか、又は、その取付け部(30)(30)に固着されて上方に突出するボルト(42)(42)又はビス(49)(49)その他の固定具上端を、梁(１)(50)その他の横架材へ直接ねじ込むか、又は、打ち込んで、或いは、他の固定金具本体(36)(36)を介してその横架材へ固定する。【選択図】  図１
2005069524.tif 000002
【特許請求の範囲】
【請求項１】
天井裏に配設されるダクト同士を連結し、又は、ダクトの端部に取り付けられるダクトジョイナーを、梁その他の横架材へ固定するための固定装置であって、前記ダクトジョイナー本体に設けられた取付け部へ挿通されるか、又は、その取付け部に固着されて上方に突出するボルト又はビスその他の固定具上端が、前記の横架材へ直接ねじ込まれるか、又は、打ち込まれて、或いは、他の固定金具本体を介してその横架材へ固定されることを特徴とするダクトジョイナーの固定装置。
【請求項２】
前記固定具が、前記の固定金具本体と取付け部とに跨る吊下げボルトであって、その吊下げボルトの一端が固定金具本体又は取付け部の一方に固着され、他端が他方にナットを介して取り付けられる請求項１記載のダクトジョイナーの固定装置。
【請求項３】
前記固定金具本体は、上下の水平片とそれら水平片の一端同士を連結する垂直片とによって略コ字形に形成されており、上側の水平片下面がＨ形鋼若しくはＩ形鋼からなる横架材の下フランジ上面に当接した状態で、下側の水平片に形成されたネジ穴へ螺合された固定ボルトが、その上端を前記下フランジの下面に押し付けるようにして締め付けられることによって、その横架材に固定される請求項１又は２記載のダクトジョイナーの固定装置。
【請求項４】
前記取付け部を下側から支持するようにして、その取付け部に下方より挿通された前記ビス等の固定具が、木質の角材からなる横架材に直接ねじ込まれるか、又は、打ち込まれる請求項１記載のダクトジョイナーの固定装置。
【請求項５】
前記取付け部には、前記固定具を挿通させるための複数の挿通穴が設けられており、それらのうちいずれかの挿通穴に前記固定具が挿通されることで、その固定具若しくは前記固定金具本体が、横架材に対して適当な位置に固定される請求項１乃至４のいずれかに記載のダクトジョイナーの固定装置。
【請求項６】
天井裏に配設されるダクト同士を連結し、又は、ダクトの端部に取り付けられるダクトジョイナーを、Ｈ形鋼若しくはＩ形鋼からなる梁その他の横架材へ固定するための固定金具であって、上下の水平片とそれら水平片の一端同士を連結する垂直片とによって略コ字形に形成された固定金具本体と、その固定金具本体を前記横架材の下フランジに固定するために、下側の水平片に形成されたネジ穴に螺合される固定ボルトと、下側の水平片より垂下するとともに、前記ダクトジョイナー本体に設けられた取付け部に挿通された状態でナットを介して取り付けられて、その取付け部を吊下げ支持する吊下げボルトとからなることを特徴とするダクトジョイナーの固定金具。
【請求項７】
天井裏に配設されるダクト同士を連結し、又は、ダクトの端部に取り付けられるダクトジョイナーであって、梁その他の横架材へ直接ねじ込まれるか、又は、打ち込まれて、或いは、他の固定金具を介してその横架材へ固定されるボルト又はビスその他の固定具が挿通される取付けプレートが、ダクトジョイナー本体の両側面より略水平方向に張り出すようにして設けられていることを特徴とするダクトジョイナー。
【請求項８】
前記それぞれの取付けプレートには、前記固定具を挿通するための挿通穴が複数形成されている請求項７記載のダクトジョイナー。
【発明の詳細な説明】
【技術分野】
【０００１】
この発明は、主として住宅の天井裏に設けたダクト同士を連結するためのダクトジョイナー、又は、天井裏のダクトを屋外に導くためにそのダクトの端部に取り付けられるダクトジョイナーを、梁その他の横架材に固定するための固定装置、固定金具、及びこれらが用いられるダクトジョイナーに関する。
【背景技術】
【０００２】
一般に、住宅の天井裏にダクトを配管する場合、天井裏に設けた梁が邪魔になることが多い。そのため、梁に形成した貫通孔にダクトを通すことがあるが、その場合は、強度上若しくは構造上の面で、ダクトの配管に際して制約を受けることが多く、特に貫通孔周りを補強する場合は、加工費が嵩んでしまう問題があった。また、ダクトを梁とその下方の天井構成部材との間の隙間に通す場合には、その隙間にダクトが介在する分だけ天井高さが低くなって、室内空間が狭くなるといった問題があった。
【０００３】
そこで、近年では、例えば特許文献１に開示されているような扁平状のダクトジョイナーが提案されている。このような扁平状のダクトジョイナーを梁とその下方の天井構成部材との間に配置して、ダクト同士をダクトジョイナーを介して連結しながら配管することで、上記のような不具合を防止することができる。
【０００４】
また、図１５に示すように、天井裏のダクト(21)を屋外(９)に導く際に、天井レベルを低くすることなく外周梁(51)や軒などの構造体を避けるべく、配管レベルを下方に偏芯させながら屋外(９)に導くようにして天井裏のダクト(21)の端部に取り付けられるダクトジョイナー(88)が知られている。
【０００５】
【特許文献１】特開２００２−１６８５０６号公報
【発明の開示】
【発明が解決しようとする課題】
【０００６】
しかし、上記において、特許文献１に記載されたダクトジョイナーは、梁等の構造体に対して固定する構造とはなっておらず、梁と天井構成部材との間に単に配置された状態で、天井裏に取り付けられる。従って、ダクト施工に際して、例えばダクトジョイナーやダクトを支えて位置決めしながら、天井材を取り付けるといったような煩雑な作業を強いられることがあった。また、ダクトの施工状態において、ダクトジョイナーが梁に対して位置ずれしたり、傾いたりすることがあり、このためダクトジョイナーに接続したダクトに急激な湾曲部分が生じて通気効率が悪くなるといった可能性があった。
【０００７】
また、上記の図１５に示すダクトジョイナー(88)についても、外壁材(58)の貫通穴(61)等で支持されているだけで、外周梁(51)等の構造体に固定されるようになっておらず、不安定な取付け状態となってしまう欠点を有していた。
【０００８】
そこで、この発明は、上記の不具合を解消して、天井裏のダクト同士を連結するためのダクトジョイナー、若しくは、天井裏のダクトの端部に取り付けられるダクトジョイナーを、梁その他の横架材に対して位置ずれすることなく確実に固定することを目的とする。
【課題を解決するための手段】
【０００９】
上記の課題を解決するため、この発明のダクトジョイナーの固定装置は、天井裏に配設されるダクト同士を連結し、又は、ダクトの端部に取り付けられるダクトジョイナーを、梁その他の横架材へ固定するためのものであって、前記ダクトジョイナー本体に設けられた取付け部へ挿通されるか、又は、その取付け部に固着されて上方に突出するボルト又はビスその他の固定具上端が、前記の横架材へ直接ねじ込まれるか、又は、打ち込まれて、或いは、他の固定金具本体を介してその横架材へ固定されることを特徴とする。
【００１０】
特に、Ｈ形鋼若しくはＩ形鋼からなる横架材にダクトジョイナーを固定する場合は、前記固定具が、前記の固定金具本体と取付け部とに跨る吊下げボルトであって、その吊下げボルトの一端が固定金具本体又は取付け部の一方に固着され、他端が他方にナットを介して取り付けられる。
【００１１】
また、その場合、前記固定金具本体は、上下の水平片とそれら水平片の一端同士を連結する垂直片とによって略コ字形に形成されており、上側の水平片下面が横架材の下フランジ上面に当接した状態で、下側の水平片に形成されたネジ穴へ螺合された固定ボルトが、その上端を前記下フランジの下面に押し付けるようにして締め付けられることによって、その横架材に固定される。
【００１２】
一方、木質の角材からなる横架材にダクトジョイナーを固定する場合は、前記取付け部を下側から支持するようにして、その取付け部に下方より挿通された前記ビス等の固定具が、その横架材に直接ねじ込まれるか、又は、打ち込まれる。
【００１３】
加えて、前記取付け部には、前記固定具を挿通させるための複数の挿通穴が設けられており、それらのうちいずれかの挿通穴に前記固定具が挿通されることで、その固定具若しくは前記固定金具本体が、横架材に対して適当な位置に固定される。
【００１４】
また、この発明のダクトジョイナーの固定金具は、天井裏に配設されるダクト同士を連結し、又は、ダクトの端部に取り付けられるダクトジョイナーを、Ｈ形鋼若しくはＩ形鋼からなる梁その他の横架材へ固定するためのものであって、上下の水平片とそれら水平片の一端同士を連結する垂直片とによって略コ字形に形成された固定金具本体と、その固定金具本体を前記横架材の下フランジに固定するために、下側の水平片に形成されたネジ穴に螺合される固定ボルトと、下側の水平片より垂下するとともに、前記ダクトジョイナー本体に設けられた取付け部に挿通された状態でナットを介して取り付けられて、その取付け部を吊下げ支持する吊下げボルトとからなることを特徴とする。
【００１５】
さらに、この発明のダクトジョイナーは、天井裏に配設されるダクト同士を連結し、又は、ダクトの端部に取り付けられるものであって、梁その他の横架材へ直接ねじ込まれるか、又は、打ち込まれて、或いは、他の固定金具本体を介してその横架材へ固定されるボルト又はビスその他の固定具が挿通される取付けプレートが、ダクトジョイナー本体の両側面より略水平方向に張り出すようにして設けられていることを特徴とする。
【００１６】
またさらに、前記それぞれの取付けプレートには、前記固定具を挿通するための挿通穴が複数形成されている。
【発明の効果】
【００１７】
この発明では、梁その他の横架材にダクトジョイナーが固定された状態において、その横架材に上端が固定されたボルト又はビスその他の固定具が、ダクトジョイナーの取付け部に対して挿通されるか、又は、固着されている。従って、大きな振動や衝撃が加わっても、横架材に固定された固定具に対して、ダクトジョイナーの取付け部が位置ずれすることがないため、横架材に対してダクトジョイナーを確実に固定することができる。また、ダクトジョイナーを梁に固定することで、その梁とダクトジョイナーのダクト芯との位置関係が明確になり、施工性を向上させることができる。
【００１８】
特にＨ形鋼若しくはＩ形鋼からなる横架材にダクトジョイナーを固定する場合は、その固定状態において、固定金具本体を介して横架材に固定された吊下げボルトに対して、ダクトジョイナーの取付け部が固着されるか、又はナットを介して取り付けられているため、横架材に対するダクトジョイナーの固定をより確実にすることができる。
【００１９】
また、固定金具本体は、上下の水平片と垂直片とによって略コ字形に形成された極めて単純な構造からなるとともに、Ｈ形鋼若しくはＩ形鋼からなる横架材に対して、その下フランジ上面に上側水平片下面を当接させた状態で、下側水平片のネジ穴に螺合された固定ボルトを、横架材の下フランジ下面に押し付けるようにして締め付けることで、横架材に対して強固に固定されるようになっており、固定金具の製造単価の低減化を図りつつ、横架材への固定の確実性を向上させることができる。
【００２０】
他方、木質の角材からなる横架材に対しては、ビス等の固定具を、ダクトジョイナーの取付け部を下側から支持するようにして、その取付け部に下方より挿通した状態で直接ねじ込むか、又は、打ち込むことで、ダクトジョイナーが固定される。すなわち、特別な固定金具を用いなくても、ビス等の固定具を用いるだけで簡単にダクトジョイナーを固定できるため、材料コストを低減できるとともに、施工性を良好にすることができる。
【００２１】
またさらに、ダクトジョイナーの取付け部には、ボルト又はビスその他の固定具を挿通させるための挿通穴が複数設けられているため、施工時において、それら複数の挿通穴の中から固定具を挿入する挿通穴を選択することができる。すなわち、横架材に対して、より適当な位置に固定具若しくは固定金具本体を固定することができる。
【発明を実施するための最良の形態】
【００２２】
先ず、この発明の第１の実施形態について、図１乃至図６に基づいて説明する。図３及び図４は、鉄骨構造住宅の天井裏におけるダクト構造を示している。図において、(１)は、天井裏に設けられた床梁で、例えばＨ形鋼からなる。この床梁(１)には、その床梁(１)にボルト(７)とナット(８)で固定された略Ｌ字形の連結プレート(３)(３)を介して、別の梁(２)(２)が略直角に連結されている。これら梁(１)(２)(２)上には、例えばＡＬＣからなる床版(４)が設置され、その床版(４)の上面には、床材(５)が設置されている。なお、梁(１)は、Ｉ形鋼であっても良いものとする。
【００２３】
また、梁(１)(２)(２)の下方には、野縁受け(11)(11)…と野縁(12)(12)…と天井材(13)とからなる天井構成部材(10)が設けられている。なお、(15)は、天井裏に張設された水平ブレースである。
【００２４】
(20)は、上記の天井裏に設けた例えばパイプ状の排気用ダクト(21)(21)同士を連結するためのダクトジョイナー本体である。このダクトジョイナー本体(20)は、図１に示すように、天井面方向に沿って拡がる扁平状の断面ロ字形に形成された扁平筒部(22)と、この扁平筒部(22)の一端に設けられるとともに一方の排気用ダクト(21)に接続される第１接続筒部(23)と、扁平筒部(22)の他端側に設けられるとともに他方の排気用ダクト(21)に接続される第２接続筒部(24)とを一体成型してなっている。
【００２５】
扁平筒部(22)は、床梁(１)の下側を横切るようにして、床梁(１)の下フランジ(16)とその下方に位置する天井構成部材(10)の野縁(12)との間の隙間に配置されるようになっている。また、扁平筒部(22)の上面には、補強と位置決めを兼ねる一対のリブ(26)(26)が突設されている。これらリブ(26)(26)は、例えば断面略台形状に形成され、接続筒部(23)(24)に跨るようにして、床梁(１)と直交する方向に沿って配されている。
【００２６】
さらに、扁平筒部(22)の両側面には、略水平方向に張り出すようにして取付けプレート(30)(30)が突設されている。取付けプレート(30)(30)は、平面から見てダクト流れ方向に長い略矩形状に形成されている。また、取付けプレート(30)(30)のダクト流れ方向両端部には、例えばそれぞれ一対の挿通穴(31)(31)…が形成されている。それら各一対の挿通穴(31)(31)は、ダクト流れ方向に沿って並設されている。
【００２７】
第１及び第２接続筒部(23)(24)は、互いに同形状とされ、扁平筒部(22)を挟んで対照的に配置されている。それぞれの接続筒部(23)(24)は、断面ロ字形の扁平筒部(22)側の端部から、その反対側の略円形の端部に向かうに連れて徐々に形状変更されている。また、ダクトジョイナー本体(20)は、その通気路の全長に亘って、排気用ダクト(21)(21)の通気路の断面積と同等以上の断面積を有している。従って、ダクトジョイナー本体(20)内の全長に亘って、排気がスムーズに流れるようになっている。
【００２８】
(35)は、ダクトジョイナー本体(20)を床梁(１)へ固定するための固定金具である。この固定金具(35)は、図２に示すように、上下の水平片(37)(38)とそれら水平片(37)(38)の一端同士を連結する垂直片(39)とによって略コ字形に形成された固定金具本体(36)と、下側の水平片(38)に形成されたネジ穴(40)に螺合される固定ボルト(41)と、下側の水平片(38)より垂下する吊下げボルト(42)とからなる。
【００２９】
吊下げボルト(42)は、その上端が下側の水平片(38)下面に対して、例えばネジ穴(40)よりも垂直片(39)側において例えば溶接によって固着されている。また、吊下げボルト(42)は、その下端部がダクトジョイナーの取付けプレート(30)に挿通された状態でナット(43)(44)を介して取り付けられて、その取付けプレート(30)を吊下げ支持するようになっている。
【００３０】
続いて、ダクトジョイナー本体(20)を床梁(１)に固定する手順について説明する。先ず、床梁(１)の下フランジ(16)に、一対の固定金具(35)(35)をウェブ(17)を挟んで対角に位置するように取り付ける。それぞれの固定金具(35)は、固定金具本体(36)の上側の水平片(37)下面を梁(１)の下フランジ(16)上面に当接させた状態で、下側の水平片(38)のネジ穴(40)へ下方より螺合した固定ボルト(41)を締め付けて、その固定ボルト(41)の先端部を床梁(１)の下フランジ(16)下面に押し付けることで、下フランジ(16)に固定する。
【００３１】
そして、ダクトジョイナー本体(20)を下フランジ(16)の下方より持ち上げて、図５に示すように、その取付けプレート(30)(30)の対角に位置する挿通穴(31)(31)に、床梁(１)に取り付けられた固定金具(35)(35)の吊下げボルト(42)(42)を差し込みながら、扁平筒部(22)を下フランジ(16)の下面にあてがう。
【００３２】
このとき、吊下げボルト(42)には、挿通穴(31)に差し込む前に予めナット(43)を螺合させておき、さらに、挿通穴(31)に差し込んだ後の吊下げボルト(42)に対して下側から別のナット(44)をねじ込む。このようにして吊下げボルト(42)に螺合された一対のナット(43)(44)を、取付けプレート(30)に対してその上下両側から挟み込むようにして締め付けることによって、取付けプレート(30)と固定金具(35)とを固定する。これにより、取付けプレート(30)(30)が、吊下げボルト(42)により吊下げ支持され、ダクトジョイナー本体(20)が床梁(１)の下フランジ(16)に固定される。
【００３３】
なお、この固定状態において、図４に示すように、扁平筒部(22)のリブ(26)(26)上面部が下フランジ(16)下面に押し付けられ、これによって扁平筒部(22)が水平状態を維持している。
【００３４】
上記において、それぞれの取付けプレート(30)(30)は、複数の挿通穴(31)(31)…を備えているため、それらのうちいずれかの挿通穴(31)に吊下げボルト(42)挿入することで、固定金具本体(36)(36)を床梁(１)に対して適当な位置に固定することができる。特に、取付けプレート(30)(30)の両端部には、挿通穴(31)(31)が２個ずつ形成されているので、それらのうちいずれかを選択して吊下げボルト(42)を挿入することで、固定金具本体(36)(36)の取付け位置を微調整して、フランジ幅の異なる床梁(１)に対応するようにダクトジョイナー本体(20)を固定することができる。
【００３５】
なお、上記実施形態においては、一対の固定金具(35)(35)によってダクトジョイナー本体(20)を支持しているが、取付けプレート(30)(30)の両端部の挿通穴(31)(31)…に対応するように下フランジ(16)に取り付けた４個の固定金具(35)(35)…を用いて、ダクトジョイナー本体(20)を支持しても良い。
【００３６】
このようにして、ダクトジョイナー本体(20)を床梁(１)に固定した後に、そのダクトジョイナー本体(20)の第１及び第２接続筒部(23)(24)に排気用ダクト(21)(21)を接続して、それから天井構成部材(10)を取り付けるようにしている。なお、このとき、床梁(１)の下フランジ(16)と天井構成部材(10)との隙間(25)には、ダクトジョイナー本体(20)における薄型の扁平筒部(22)が位置するので、天井構成部材(10)をその高さ位置を下げることなく取り付けることができ、十分な天井高さを有する室内空間を確保することができる。
【００３７】
上記において、図１乃至図５に示す実施形態では、鉄骨構造住宅の天井裏にダクトジョイナーを施工した例を示したが、図６に示すように、木造住宅の天井裏に施工するようにしても良い。この場合、例えば木質の角材からなる天井裏の床梁(50)に対するダクトジョイナー本体(20)の固定には、上記の固定金具(35)(35)に代わってビス(49)(49)が用いられる。
【００３８】
すなわち、図６に示す実施形態では、ダクトジョイナー本体(20)の扁平筒部(22)を床梁(50)の下面に当てがいながら、図５に示した場合と同様に、取付けプレート(30)(30)の対角に位置する挿通穴(31)(31)に下方からビス(49)(49)を挿入して、これらビス(49)(49)を、それぞれ取付けプレート(30)(30)を下側から支持するようにして床梁(50)に直接ねじ込むことによって、ダクトジョイナー本体(20)を床梁(50)に固定するようにしている。
【００３９】
ただし、このような木質の角材からなる床梁(50)への固定には、上記のビス(49)(49)に代えてボルトその他の固定具を用いるようにしても良く、また、その固定方法は、上記のようなねじ込みによる固定に限られず、打ち込みによるものであっても良い。なお、その他の構成は、図１乃至図５に示す実施形態と同様であり、その同様の機能を有する部材については、図６において同符号を付してある。
【００４０】
次に、この発明の第２の実施形態について、図７乃至図１４に基づいて説明する。図９は、鉄骨構造住宅の天井裏における外壁(55)(55)付近のダクト構造を示している。図において、(51)は、天井裏に設けられた外周梁で、例えばＨ形鋼からなる。外周梁(51)には、第１の実施形態の床梁(１)と同様に、別の梁(２)(２)が連結プレート(３)(３)を介して略直角に連結されている。なお、外周梁(51)は、Ｉ形鋼であっても良いものとする。
【００４１】
外周梁(51)には、上下階の外壁(55)(55)が固定されている。これら外壁(55)(55)は、方形枠状の下地フレーム(57)(57)に外壁材(58)(58)を張り合わせてなる外壁パネル(56)(56)と、この外壁パネル(56)(56)の屋内側に設置される内壁枠(46)(46)と、内壁枠(46)(46)に対してその屋内側に張り付けられる内装材(59)(59)とからなっている。そして、上部階の下地フレーム(57)の下端部が外周梁(51)の上フランジ(54)に固定され、下部階の下地フレーム(57)の上端部が、外周梁(51)の下フランジ(52)に固定されている。
【００４２】
図において、(60)は、下部階の外壁(55)の内部に充填された断熱材である。また、下部階の外壁材(58)には、断面略円形の貫通穴(61)が屋内外方向に貫通して設けられている。さらに、この外壁材(58)の屋外側には、貫通穴(61)に対応するようにして貫通穴取付け部材(62)が設けられている。
【００４３】
(70)は、天井裏の排気用ダクト(21)の端部に取り付けられるダクトジョイナー本体である。このダクトジョイナー本体(70)は、天井裏のダクト(21)に接続される屋内側連通筒部(71)と、外壁材(58)の貫通穴(61)に接続されて屋外に連通する屋外側連通筒部(72)と、これら屋内側連通筒部(71)と屋外側連通筒部(72)とを連結する垂直胴部(73)とからなっている。
【００４４】
垂直胴部(73)は、外壁(55)の面方向に沿って拡がる断面略ロ字形の扁平形状とされて外壁(55)内に設置される。垂直胴部(73)の屋内側及び屋外側の外周面には、図１２に示すように、例えば一対の係合凹部(75)(75)…が、上下方向に間隔を空けて複数設けられている。各一対の係合凹部(75)(75)は、水平方向に沿って並設されている。
【００４５】
そして、垂直胴部(73)は、その上端において屋内側連通筒部(71)に連結する上側連結部(74)を備えている。この上側連結部(74)は、外周梁(51)の下フランジ(52)とその下方に位置する天井構成部材(10)の野縁(12)との間の隙間(45)を通るように、前記扁平形状を維持した状態で屈曲している。また、上側連結部(74)の上面には、補強と位置決めを兼ねる一対のリブ(76)(76)が突設されている。これらリブ(76)(76)は、例えば断面略台形状に形成され、外周梁(51)と直交する方向に沿って配されている。
【００４６】
さらに、上側連結部(74)の両側面には、略水平方向に張り出すようにして取付けプレート(77)(77)が突設されている。取付けプレート(77)(77)は、平面から見て略矩形状に形成されている。この取付けプレート(77)(77)には、例えば一対の挿通穴(78)(78)がそれぞれ形成されている。各一対の挿通穴(78)(78)は、外周梁(51)と直交する方向に沿って並設されている。
【００４７】
屋外側連通筒部(72)は、垂直胴部(73)側の端部において、垂直胴部(73)の下端部が内嵌される垂直扁平部(81)を備えている。この垂直扁平部(81)の上端部には、図１２に示すように、上記の垂直胴部(73)に設けられた係合凹部(75)(75)内に係合可能な係合凸部(82)(82)…が、屋内側及び屋外側の内周面より内側に突出するようにして設けられている。
【００４８】
そして、施工の際には、長さ調節のためにカットされた垂直胴部(73)の最下端の係合凹部(75)(75)…と、屋外側連通筒部(72)の係合凸部(82)(82)…とが係合されることによって、垂直胴部(73)と屋外側連通筒部(72)とが接続される。なお、施工時において、接続された垂直胴部(73)と屋外側連通筒部(72)とは、その接続部分の外周面にテーピング処理が施されることによって互いに固定される。
【００４９】
また、屋内側及び屋外側の連通筒部(71)(72)は、断面ロ字形の垂直胴部(73)側の端部から、その反対側の略円形の端部に向かうに連れて徐々に形状変更されている。また、ダクトジョイナー本体(70)は、その通気路の全長に亘って、排気用ダクト(21)の通気路の断面積と同等以上の断面積を有している。従って、ダクトジョイナー本体(70)内の全長に亘って、排気がスムーズに流れるようになっている。
【００５０】
続いて、第１の実施形態で説明したものと同様の固定金具(35)(35)を用いて、上記のダクトジョイナー本体(70)を、外周梁(51)に固定する手順について説明する。先ず、ダクトジョイナーのそれぞれの取付けプレート(77)(77)に対して、一対の挿通穴(78)(78)のうちいずれか一方の挿通穴(78)に、固定金具(35)(35)の吊下げボルト(42)(42)を、ナット(43)を螺合させた状態で上方から挿入する。そして、挿入後の吊下げボルト(42)に別のナット(44)を下側から螺合させ、これら一対のナット(43)(44)によって取付けプレート(77)を上下両側から挟み込むようにして締め付けることによって、固定金具(35)をダクトジョイナー本体(70)に固定する。この際、ダクトジョイナー本体(70)のリブ(76)(76)上面から、固定金具本体(36)の上側水平片(37)下面までの高さを、外周梁(51)の下フランジ(52)の厚さに対応させておく。
【００５１】
次に、図７に示すように、ダクトジョイナー本体(70)の屋外側連通筒部(72)の屋外側先端部を外壁材(58)の貫通穴(61)に差し込みながら、ダクトジョイナー本体(70)に取り付けられた状態の固定金具(35)(35)を、外周梁(51)の下フランジ(52)に取り付ける。このとき、それぞれの固定金具(35)は、固定金具本体(36)の上側の水平片(37)下面を外周梁(51)の下フランジ(52)上面に当接させた状態で、下側の水平片(38)のネジ穴(40)へ下方より螺合した固定ボルト(41)を締め付けて、その固定ボルト(41)の先端部を外周梁(51)の下フランジ(52)下面に押し付けることで、下フランジ(52)に固定する。これにより固定された固定金具(35)(35)の吊下げボルト(42)(42)によって、ダクトジョイナーの取付けプレート(77)(77)が吊下げ支持され、ダクトジョイナー本体(70)が外周梁(51)の下フランジ(52)に固定される。
【００５２】
なお、この固定状態において、図１０に示すように、上側連結部(74)のリブ(76)(76)上面部が下フランジ(52)下面に押し付けられ、これによって垂直胴部(73)が垂直状態を維持している。
【００５３】
上記において、それぞれの取付けプレート(77)は、一対の挿通穴(78)(78)を備えているため、図１１に示すように、それらのうちいずれかの挿通穴(78)を選択して吊下げボルト(42)を挿入することで、固定金具本体(36)の取付け位置を微調整して、フランジ幅の異なる外周梁(51)に対応するようにダクトジョイナー本体(70)を固定することができる。
【００５４】
このようにして、ダクトジョイナー本体(70)を外周梁(51)に固定した後に、ダクトジョイナー本体(70)の屋外側連通筒部(72)が差し込まれた状態の外壁材(58)の貫通穴(61)にシーリング処理を施して、ダクトジョイナー本体(70)と外壁パネル(56)とを固定する。その後、図８に示すように、内壁枠(46)及び断熱材(60)を施工する。この際、内壁枠(46)の最上部の横材(47)は、ダクトジョイナー本体(70)と干渉する部分をカットしておく。また、ダクトジョイナー本体(70)と断熱材(60)との間の隙間を塞ぐようにして、適当な箇所に気密テープ(48)(48)…を貼り付ける。
【００５５】
それから、ダクトジョイナー本体(70)の屋内側連通筒部(71)に排気用ダクト(21)を接続して、天井構成部材(10)を取り付けるようにしている。なお、このとき、外周梁(51)の下フランジ(52)と天井構成部材(10)との隙間(45)には、ダクトジョイナー本体(70)における薄型の上側連結部(74)が位置するので、天井構成部材(10)をその高さ位置を下げることなく取り付けることができ、十分な天井高さを有する室内空間を確保することができる。
【００５６】
また、第１の実施形態と同様、第２の実施形態においても、図１３に示すような木造住宅の天井裏にダクトジョイナーを施工するようにしても良い。この場合、例えば木質の角材からなる天井裏の外周梁(85)に対するダクトジョイナー本体(70)の固定には、上記の固定金具(35)(35)に代わってビス(49)(49)が用いられる。
【００５７】
その固定の際には、ダクトジョイナー本体(70)の上側連結部(74)を外周梁(85)の下面に当てがいながら、それぞれの取付けプレート(77)(77)に対して、図１１に示した場合と同様にいずれか一方の挿通穴(78)(78)を選択して、その挿通穴(78)に下方からビス(49)(49)を挿入する。そして、これらビス(49)(49)を、図１４に示すように、それぞれ取付けプレート(77)(77)を下側から支持するようにして外周梁(85)に直接ねじ込むことによって、ダクトジョイナー本体(70)を外周梁(85)に固定するようにしている。なお、その他の構成は、図７乃至図１２に示す実施形態と同様であり、その同様の機能を有する部材については、図１３及び図１４において同符号を付してある。
【００５８】
また、以上の第２の実施形態において、第１の実施形態と同様の機能を有する部材については、図において同符号を付しており、詳細な説明を省略している。
【００５９】
この発明は、上記実施形態に限定されるものではなく、この発明の範囲内で上記実施形態に多くの修正及び変更を加え得ることは勿論である。
【００６０】
例えば、ダクトジョイナー本体(20)(70)を、上記のような梁(１)(51)に固定する代わりに、胴縁その他の横架材に対して固定するようにしても良い。
【００６１】
また、上記の鉄骨構造住宅での施工において、固定金具本体(36)より垂下する吊下げボルト(42)を用いる代わりに、ダクトジョイナーの取付けプレート(30)(77)に固着されて上方に突出する吊下げボルトを用いる場合も考えられる。その場合は、吊下げボルトの上端部を、梁(１)(51)に固定される固定金具本体(36)にナットを介して取り付けることで、その梁(１)(51)にダクトジョイナー本体(20)(70)が固定される。
【００６２】
さらに、上記実施形態においては、ダクトジョイナー本体(20)(70)を、排気用ダクト(21)(21)に取り付けた例を示したが、給気用ダクトに取り付けるようにしても良い。この場合、ダクトジョイナー本体(20)(70)は、結露等の対策のために、その外周の一部又は全体を断熱材で覆うようにする。
【図面の簡単な説明】
【００６３】
【図１】第１の実施形態に係るダクトジョイナーの固定装置を示す斜視図である。
【図２】固定金具の斜視図である。
【図３】第１の実施形態に係るダクトジョイナーの設置状態を示す断面図である。
【図４】同じくその要部を拡大して示す断面図である。
【図５】第１の一実施形態に係るダクトジョイナーの平面図である。
【図６】第１の実施形態おいて木質の角材からなる梁に対する設置状態を示す断面図である。
【図７】第２の実施形態に係るダクトジョイナーの固定装置を示す斜視図である。
【図８】第２の実施形態に係るダクトジョイナーの設置状態を示す斜視図である。
【図９】同じくその断面図である。
【図１０】同じくその要部を拡大して示す断面図である。
【図１１】第２の一実施形態に係るダクトジョイナーの平面図である。
【図１２】同じくその断面図である。
【図１３】第２の実施形態おいて木質の角材からなる梁に対する設置状態を示す断面図である。
【図１４】同じくその要部を拡大して示す断面図である。
【図１５】天井裏のダクトの端部に取り付けられるダクトジョイナーの設置状態についての従来例を示す断面図である。
【符号の説明】
【００６４】
(１)(51)  Ｈ形鋼からなる梁
(16)(52)  下フランジ
(20)(70)  ダクトジョイナー本体
(21)  天井裏のダクト
(30)(77)  取付けプレート
(31)(78)  挿通穴
(35)  固定金具
(36)  固定金具本体
(37)  上側の水平片
(38)  下側の水平片
(39)  垂直片
(40)  ネジ穴
(41)  固定ボルト
(42)  吊下げボルト
(43)(44)  ナット
(49)  ビス
(50)(85)  木質の角材からなる梁
【図１】
2005069524.tif 000003
【図２】
2005069524.tif 000004
【図３】
2005069524.tif 000005
【図４】
2005069524.tif 000006
【図５】
2005069524.tif 000007
【図６】
2005069524.tif 000008
【図７】
2005069524.tif 000009
【図８】
2005069524.tif 000010
【図９】
2005069524.tif 000011
【図１０】
2005069524.tif 000012
【図１１】
2005069524.tif 000013
【図１２】
2005069524.tif 000014
【図１３】
2005069524.tif 000015
【図１４】
2005069524.tif 000016
【図１５】
2005069524.tif 000017